(57)【特許請求の範囲】
【請求項１】
通常演算モードに切り換えるための通常演算選択手段と、
検算モードに切り換えるための検算選択手段と、
前記通常演算モード又は検算モードにおける演算式データを入力するための入力手段と、
前記入力手段により入力された演算式データの入力結果に基づき、通常演算又は検算を独立して実行するための演算手段と、
前記演算式データと、前記演算手段により実行された通常演算結果又は検算結果を記憶するための記憶手段と、
前記記憶手段が前記通常演算結果を記憶しており、かつ、前記検算モードによる検算で前記演算手段が検算を実行した場合に、前記通常演算結果と検算結果を比較し両者の差を算出する比較手段と、
前記演算式データ及び通常演算結果を表示する通常演算表示手段と、
前記演算式データ、検算結果、及び通常演算結果と当該検算結果の差を表示する検算表示手段とを備え、
前記通常演算は前記検算結果を検算表示手段に表示させた状態で実行可能であり、前記検算は前記通常演算結果を通常演算表示手段に表示させた状態で実行可能である検算機能付き電子式計算機。
【請求項２】
前記通常演算表示手段に通常演算結果が表示され、かつ、前記検算表示手段に通常演算結果と検算結果の差が表示されている場合に、新たに前記検算モードで検算を実行した際、前記比較手段は通常演算結果と検算結果を比較して両者の差を再び算出し、
前記検算表示手段は、前記通常演算結果と検算結果の差を新たに表示する請求項１に記載の検算機能付き電子式計算機。
【請求項３】
前記通常演算表示手段に通常演算結果が表示され、かつ、前記検算表示手段に通常演算結果と検算結果の差が表示されている場合に、新たに前記通常演算モードで通常演算を実行した際、前記検算表示手段は、前記通常演算結果と検算結果の差の表示を消去する請求項１又は２に記載の検算機能付き電子式計算機。
【発明の詳細な説明】
【技術分野】
【０００１】
本発明は、通常演算と検算を独立して実行することができ、かつ、両者の演算結果を同時に視認することが可能な検算機能付き電子式計算機に関する。
【背景技術】
【０００２】
従来、電卓などの電子計算機には検算機能を備えたものがある。この種の電子計算機は、通常演算モードと検算モードとを有し、通常演算モードで１回目の計算のキー入力操作によって入力したデータがジャーナルメモリに記憶されることにより、次に検算モードに切り換えて２回目の計算のキー入力操作が行なわれると、ジャーナルメモリに記憶されている１回目の入力データと２回目の入力データとが比較され、１回目の入力データと２回目の入力データとが一致しない場合に音声又は表示によって誤入力があったことを告知するようになっている。
【０００３】
しかしながら、前記従来の電子計算機においては、通常演算モードの演算結果と、検算モードの検算結果を同時に把握し、両者の誤差を瞬時に確認することができないという問題点がある。その結果、従来の電子計算機は、検算を行う際の操作性や利便性に劣るという問題点がある。
【先行技術文献】
【特許文献】
【０００４】
【特許文献１】特開平６−３５８６２号公報
【特許文献２】特開平８−２３５１２４号公報
【発明の概要】
【発明が解決しようとする課題】
【０００５】
本発明は前記問題点に鑑みなされたものであり、その目的は、操作性及び利便性に優れ、通常演算と検算を独立して実行することができ、かつ、各々の結果を異なる表示画面に表示させて、両者の差異を容易に把握することが可能な検算機能付き電子式計算機を提供することにある。
【課題を解決するための手段】
【０００６】
本発明の検算機能付き電子式計算機は、前記の課題を解決する為に、通常演算モードに切り換えるための通常演算選択手段と、検算モードに切り換えるための検算選択手段と、前記通常演算モード又は検算モードにおける演算式データを入力するための入力手段と、前記入力手段により入力された演算式データの入力結果に基づき、通常演算又は検算を独立して実行するための演算手段と、前記演算式データと、前記演算手段により実行された通常演算結果又は検算結果を記憶するための記憶手段と、前記記憶手段が前記通常演算結果を記憶しており、かつ、前記検算モードによる検算で前記演算手段が検算を実行した場合に、前記通常演算結果と検算結果を比較し両者の差を算出する比較手段と、前記演算式データ及び通常演算結果を表示する通常演算表示手段と、前記演算式データ、検算結果、及び通常演算結果と当該検算結果の差を表示する検算表示手段とを備え、前記通常演算は前記検算結果を検算表示手段に表示させた状態で実行可能であり、前記検算は前記通常演算結果を通常演算表示手段に表示させた状態で実行可能であることを特徴とする。
【０００７】
前記の構成に於いては、前記通常演算表示手段に通常演算結果が表示され、かつ、前記検算表示手段に通常演算結果と検算結果の差が表示されている場合に、新たに前記検算モードで検算を実行した際、前記比較手段は通常演算結果と検算結果を比較して両者の差を再び算出し、前記検算表示手段は、前記通常演算結果と検算結果の差を新たに表示することが好ましい。
【０００８】
前記の構成に於いては、前記通常演算表示手段に通常演算結果が表示され、かつ、前記検算表示手段に通常演算結果と検算結果の差が表示されている場合に、新たに前記通常演算モードで通常演算を実行した際、前記検算表示手段は、前記通常演算結果と検算結果の差の表示を消去することが好ましい。
【発明の効果】
【０００９】
本発明によれば、通常演算モードに切り換えるための通常演算選択手段と、検算モードに切り換えるための検算選択手段とを備えるため、通常演算又は検算の切り替えが容易であり、操作性及び利便性に優れている。
【００１０】
また、演算手段は、入力手段により入力された演算式データの入力結果に基づき、それぞれ通常演算又は検算を独立して実行することができる。そして、通常演算処理では、演算式データ及び通常演算の結果が通常演算表示手段に表示され、検算処理では、演算式データ及び検算結果が検算表示手段に表示される。その結果、例えば、通常演算結果を通常演算表示手段に表示させた状態で、独立して検算を実行することも可能になるので、通常演算の結果を確認しながら検算を行うことができる。
【００１１】
また、記憶手段が通常演算結果を記憶しており、かつ、検算モードによる検算で演算手段が検算を実行した場合には、比較手段が通常演算結果と検算結果を比較し両者の差を算出する。さらに、算出された差は検算表示手段において表示されるので、通常演算及び検算の結果得られる数字の桁数が大きい場合にも、両者の誤差を容易に確認することができ、操作性及び利便性の一層の向上が図れる。
【図面の簡単な説明】
【００１２】
【図１】本発明の実施の一形態に係る検算機能付き電子式計算機を模式的に表す平面図である。
【図２】前記検算機能付き電子式計算機の電子回路の構成を示すブロック図である。
【図３】前記検算機能付き電子式計算機における通常演算処理を説明するためのフローチャート図である。
【図４】前記検算機能付き電子式計算機における検算処理を説明するためのフローチャート図である。
【発明を実施するための形態】
【００１３】
本発明の実施の一形態について、図１〜図４に基づき以下に説明する。図１は、本発明の実施の一形態に係る検算機能付き電子式計算機を模式的に表す平面図である。図２は前記検算機能付き電子式計算機の電子回路の構成を示すブロック図である。図３は、前記検算機能付き電子式計算機における通常演算処理を説明するためのフローチャート図である。図４は、前記検算機能付き電子式計算機における検算処理を説明するためのフローチャート図である。
【００１４】
図１に示すように、検算機能付き電子式計算機（以下、「電子式計算機」という。）１０は、その表面に、入力手段としてのキー入力部１１と、表示部１２とを備える。キー入力部１１は、数字入力キー群１３、演算機能キー群１４、メモリー機能キー群１５、並びにクリア及び付加機能キー群１６を備える。また、電子式計算機１０は、その表面に通常演算モード又は検算モードに設定するためのモード設定キー群１７を備える。
【００１５】
数字入力キー群１３には、「０」〜「９」までのテンキー、「００」キー及び「・」キーが設けられている。これらのキーを入力することにより、数字等の入力が可能になる。
【００１６】
演算機能キー群１４には、四則演算を行うための「＋」キー、「−」キー、「×」キー、「÷」キー及び「＝」キーが設けられている。また、百分率計算を行うための「％」キー、平方根演算を行うための「√」キーも設けられている。これらのキーを選択することにより演算処理を可能にする。尚、演算機能キー群１４においては、その他の演算を実行するためのキーが設けられていてもよい。
【００１７】
メモリー機能キー群１５には、表示されている数値をメモリに記憶されている数値に足す（プラスの数値で入力）ための「Ｍ＋」（メモリープラス）キー、引く（マイナスの数値で入力）ための「Ｍ−」（メモリーマイナス）キー、メモリに記憶されている数値を呼び戻すための「ＲＭ」（リターンメモリー）キー、メモリに記憶されている数値を呼び戻すと同時にメモリー内容を消去するための「ＣＭ」（クリアメモリー）キー、「ＧＴ」（グランドトータル）キー、「税込み」キー、「税抜き」キー及び「税率設定」キーが設けられている。
【００１８】
クリア及び付加機能キー群１６には、「ＣＡ」（電源ＯＮ・ＯＦＦ）キー、演算データを全て消去（初期化）するための「Ｃ」（計算全クリアー）キー、「＋／−」キー及び「→」（末尾消去）キーが設けられている。
【００１９】
モード設定キー群１７には、通常演算選択手段としての通常演算モードキー１７ａと、検算選択手段としての検算モードキー１７ｂが設けられている。通常演算モードキー１７ａは、演算処理のモードを通常演算モードに切り替えるためのキーである。また、検算モード１７ｂは演算のモードを検算モードに切り替えるためのキーである。本実施の形態に於いて、検算処理は、検算モードキー１７ｂを選択した場合にのみ実行される。すなわち、通常演算処理は、通常演算モードキー１７ａ及び検算モードキー１７ｂを選択しない場合にも実行することができる。
【００２０】
表示部１２は、通常演算表示手段としての通常演算表示部１２ａと、検算表示手段としての検算表示部１２ｂとを備える。これにより、本実施の形態に於いては、通常演算モードの演算結果と、検算モードの検算結果を同時に確認し比較することが可能になり、操作性及び利便性の向上が図れる。通常演算表示部１２ａは、数字表示エリア１９ａと、演算子・ファンクション表示エリア１９ｂとを備える。数字表示エリア１９ａは、演算式データを入力する際に入力された数字や通常演算の結果を表示する。演算子・ファンクション表示エリア１９ｂは、演算式データを入力する際に入力された演算命令の記号（＋、−、×、÷、＝）や、メモリ機能群キー１５により入力された各ファンクション機能等を表示する。
【００２１】
また、検算表示部１２ｂは、数字表示エリア２０ａと、演算子・ファンクション表示エリア２０ｂとを備える。数字表示エリア２０ａは、演算式データを入力する際に入力された数字や検算結果を表示する。演算子・ファンクション表示エリア２０ｂは、演算命令の記号（＋、−、×、÷、＝）や、メモリ機能群キー１５により入力された各ファンクション機能等を表示する。また、演算子・ファンクション表示エリア２０ｂは、通常演算結果と検算結果の差引演算（詳細については後述する）の結果も表示する。
【００２２】
本実施の形態の電子式計算機１０は、プログラムの命令に従って電子式計算機１０全体の制御を行う中央演算処理装置（制御部）３１と、制御部３１で処理する前記プログラムを記憶した読み出し専用メモリ（ＲＯＭ）３２と、記憶手段としてデータを記憶する、随時書き込み読み出しメモリ（ＲＡＭ）３３と、データ入力やモードの切換などを行うためのキー入力部１１と、制御部３１から出力される数値データや各種メッセージデータを表示するための表示駆動回路（図示しない）および表示部１２と、制御部３１から出力される告知音信号を増幅して放音するための増幅回路３４およびスピーカ３５とからなる。
【００２３】
ＲＯＭ３２には、電子式計算機１０全体の動作を制御するシステムプログラムが格納されている。さらに、ＲＯＭ３２は、通常演算処理プログラム、検算処理プログラム、通常演算結果と検算結果を比較する比較処理プログラム、通常演算結果と検算結果の差引を行う差引演算プログラム等の各種のサブプログラムも予め記憶されている。従って、本実施の形態に於いては、制御部３１が、ＲＯＭ３２に格納されている通常演算処理プログラムや検算処理プログラムを読み出し実行することにより、演算手段として通常演算処理又は検算処理を行う。また、制御部３１がＲＯＭ３２に格納されている比較処理プログラム及び差引演算プログラムを読み出し実行することにより、比較手段として、通常演算結果と検算結果を比較し、かつ、両者の差引演算を行う。
【００２４】
ＲＡＭ３３は、キー入力部１１から入力された数字データや演算命令（演算子）等に基づき、制御部３１が演算するために、当該数字データ等を一時記憶する演算用レジスタの領域と、通常演算結果、検算結果及び差引演算結果（詳細については後述する。）を一時記憶するメモリレジスタの領域と、表示部１２に表示する数字等のデータを記憶する表示レジスタの領域等とを有する。
【００２５】
次に、本実施の形態の電子式計算機１０の動作について、図３及び図４のフローチャートを用いて説明する。
【００２６】
先ず、通常演算処理について図３に基づき説明する。
数字入力キー群１３や演算機能キー群１４等において数字データや演算命令データが最初に１つだけ入力されると（ステップＳ１０１）、制御部３１は通常演算モードキー１７ａが入力されているか否かを判断する（ステップＳ１０２）。通常演算モード１７ａが入力されている場合、電子式計算機１０は通常演算モードとなり、通常演算を行う。尚、ステップＳ１０１で入力されたデータは、ＲＡＭ３３の演算用レジスタの領域に一時的に記憶される。
【００２７】
通常演算モードキー１７ａが入力されていない場合、検算モードキー１７ｂが入力されているか否かをさらに判断する（ステップＳ１０３）。通常演算モードキー１７ａが入力されている場合、又は検算モードキー１７ｂが入力されていない場合、制御部３１はＲＡＭ３３の表示レジスタに、検算結果及び差引演算結果のデータが記憶されているか否かを判断する（ステップＳ１０４）。これらのデータが表示レジスタに記憶されている場合には、制御部３１は当該データを消去する（ステップＳ１０５）。これにより、検算表示部１２ｂには、検算結果及び差引演算結果が表示されなくなる。尚、検算モードキー１７ｂが入力されている場合には、電子式計算機１０は検算モードで検算処理が行われる。当該検算モードでの検算処理については、後段にて詳述する。
【００２８】
通常演算を行うために引き続き、数字入力キー群１３等により数字データや演算命令データ等が入力されると（ステップＳ１０６）、これらの入力されたデータがＲＡＭ３３の演算用レジスタの領域に一時的に記憶される（ステップＳ１０７）。そして、演算命令の実行がなされると、制御部３１は、これらの入力されたデータに基づき通常演算モードで通常演算を行う（ステップＳ１０８）。このとき、入力された数字データは、表示レジスタにも一時的に記憶され、新たな数字データが入力されるまでの間、数字表示エリア１９ａに表示される。また、演算機能キー群１４により入力された演算命令データも、表示レジスタに一時的に記憶され、新たな演算命令データが入力されるまでの間、演算子・ファンクション表示エリア１９ｂに表示される。
【００２９】
通常演算が制御部３１により実行されると、その演算結果のデータはＲＡＭ３３のメモリレジスタ及び表示レジスタに記憶される。制御部３１は、記憶されている表示レジスタから通常演算結果のデータを呼び出すことにより、数字表示エリア１９ａに通常演算の結果を表示させる（ステップＳ１０９）。
【００３０】
最後に通常演算処理を終了するか否かを判断する（ステップＳ１１０）。通常演算処理を行った後に、さらに続けて通常演算処理を行う場合はステップＳ１０６に戻り、数字入力キー群１３や演算機能キー群１４等によりデータ入力を行い、通常演算を前述と同様に行う（ステップＳ１０７〜Ｓ１１０）。
【００３１】
尚、本実施の形態に於いては、ステップＳ１０２において通常演算モードキー１７ａが入力されているか否かを判断する直後に、前回の検算結果及び差引演算結果のデータが記憶されているか否かを判断するステップＳ１０４、及び（場合によって）これらのデータを制御部３１が消去するステップＳ１０５を行う態様について述べた。しかしながら、本発明は、この態様に限定されるものではなく、通常演算処理を実行するステップＳ１０８の直後にこれらのステップを行うこともできる。
【００３２】
次に、検算処理について図４に基づき説明する。
検算処理は検算モードキー１７ｂが入力された場合に実行される（ステップＳ２０１）。数字入力キー群１３や演算機能キー群１４等において数字データや演算命令データが最初に１つだけ入力されると（ステップＳ２０２）、制御部３１は、ＲＡＭ３３のメモリレジスタ及び表示レジスタに、前回の検算結果及び差引演算結果のデータが記憶されているか否かを判断する（ステップＳ２０３）。これらのデータがメモリレジスタ及び表示レジスタに記憶されている場合には、制御部３１は当該データを消去する（ステップＳ２０４）。これにより、検算表示部１２ｂには、前回の検算結果及び差引演算結果が表示されなくなる。尚、ステップＳ２０２で入力されたデータは、ＲＡＭ３３の演算用レジスタの領域に一時的に記憶される。
【００３３】
ＲＡＭ３３のメモリレジスタ及び表示レジスタに、前回の検算結果及び差引演算結果のデータが記憶されていない場合、又はこれらのデータがステップＳ２０４にて消去された場合、引き続き検算を行うために、数字入力キー群１３等により数字データや演算命令データ等が入力されると（ステップＳ２０５）、入力された数字データ等がＲＡＭ３３の演算用レジストの領域に一時的に記憶される（ステップＳ２０６）。そして、演算命令の実行がなされると、制御部３１は、これらの入力されたデータに基づき検算モードで検算処理を行う（ステップＳ２０７）。このとき、入力された数字データは、表示レジスタにも一時的に記憶され、新たな数字データが入力されるまでの間、数字表示エリア２０ａに表示される。また、演算機能キー群１４により入力された演算命令データも、表示レジスタに一時的に記憶され、新たな演算命令データが入力されるまでの間、演算子・ファンクション表示エリア２０ｂに表示される。さらに、検算結果のデータはメモリレジスタに記憶される。
【００３４】
続いて、制御部３１は、通常演算結果のデータがメモリレジスタ及び表示レジスタに記憶されているか否かを判断する（ステップＳ２０８）。メモリレジスタ及び表示レジスタに通常演算結果のデータが記憶されている場合には、制御部３１は当該メモリレジスタから通常演算結果のデータを呼び出し、演算用レジスタに一時記憶させる。また、制御部３１はメモリレジスタから検算結果のデータも呼び出し、演算用レジスタに一時記憶させる。そして、制御部３１は、比較手段として機能し、通常演算結果と検算結果の比較を行う（ステップＳ２０９）。比較の結果、検算結果が通常演算結果と一致する場合には、制御部３１は検算結果を表示レジスタに記憶させた後、当該表示レジスタから検算結果のデータを呼び出すことにより、これを演算子・ファンクション表示エリア２０ｂに表示させる（ステップＳ２１０、Ｓ２１２）。
【００３５】
その一方、検算結果が通常演算結果と一致しない場合には、制御部３１は、通常演算結果から検算結果を差し引く差引演算処理を実行する（ステップＳ２１１）。この差引演算の結果は、メモリレジスタ及び表示レジスタに一時記憶される。その後、制御部３１は、検算結果を数字表示エリア２０ａに表示させると共に、差引演算結果を演算子・ファンクション表示エリア２０ｂに表示させる（ステップＳ２１２）。
【００３６】
尚、ステップＳ２０８において、通常演算結果のデータがメモリレジスタに一時記憶されていない場合には、検算結果のデータが表示レジスタに記憶され、数字表示エリア２０ａに表示される（ステップＳ２１２）。
【００３７】
最後に、ステップＳ２１３において検算処理を終了せずに、さらに続けて行う場合には、ステップ２０２に戻り、数字入力キー群１３や演算機能キー群１４等によりデータ入力を行い、検算処理を再び行う（ステップＳ２０３〜Ｓ２１２）。
【００３８】
尚、検算処理は、通常演算結果が表示レジスタに記憶されているか否か、通常演算表示部１２ａに表示されているか否かに関わらず実行させることができる。すなわち、検算処理は通常演算処理とは独立して実行させることができる。
【００３９】
また、いったん検算モードキー１７ｂが入力されると、通常演算モードキー１７ａが入力されない限り、繰り返し検算処理を実行させることができる。この場合、メモリレジスタ及び表示レジスタは、前回の検算処理における通常演算結果との差引演算結果を一時記憶した状態であるが、再度検算処理を実行させることにより、当該メモリレジスタ及び表示レジスタから前回の検算結果及び差引演算結果が消去される。より具体的には、新たな検算処理において、数字入力キー群１３等によりデータ入力がなされたとき（ステップＳ２０２）に前記の消去が制御部３１により行われる。
【００４０】
制御部３１により検算が実行されると、再び検算結果のデータがメモリレジスタの領域に一時記憶される。さらに、制御部３１が、メモリレジスタにおける通常演算結果の記憶の有無を確認した後（ステップ２０８）、当該通常演算結果と検算結果の比較を行う（ステップＳ２０９）。そして、２度目の検算結果が通常演算結果と一致する場合には、制御部３１は当該検算結果を演算子・ファンクション表示エリア２０ｂに表示させ（ステップＳ２１０、Ｓ２１２）、一致しない場合には、通常演算結果から２度目の検算結果を差し引く差引演算を行う（ステップＳ２１１）。その後、２度目の検算結果と共に差引演算結果も、検算表示部１２ｂに表示される（ステップＳ２１２）。
【００４１】
尚、本実施の形態においては、ステップＳ２０８において、通常演算結果と検算結果を比較した結果、両者が同一の場合には差引演算を行うことなく、検算結果を表示させる態様について説明した。しかし、本発明はこの態様に限定されるものではない。すなわち、通常演算結果と検算結果が同一の場合にも、ステップＳ２１０の差引演算を実行させ、その結果を、演算子・ファンクション表示エリア２０ｂに表示させるようにしてもよい。
【００４２】
また、本実施の形態に於いては、ステップＳ２０２において数字データ等と入力した直後に、前回の検算結果及び差引演算結果のデータが記憶されているか否かを判断するステップＳ２０３）、及び（場合によって）これらのデータを制御部３１が消去するステップＳ２０４を行う態様について述べた。しかしながら、本発明は、この態様に限定されるものではなく、検算処理を実行するステップＳ２０７の直後にこれらのステップを行うこともできる。
【００４３】
以上の様に、本実施の形態の電子式計算機１０によれば、通常演算と検算の切り替えを、通常演算モードキー１７ａと検算モードキー１７ｂを用いて容易に行うことができ操作性に優れている。また、本実施の形態の電子式計算機１０によれば、通常演算と検算を独立して実行させることができる。さらに、検算モードで検算処理を行う際にも、最初に行った通常演算の結果はＲＡＭ３３に記憶されているので、誤ってデータを消去するキー操作を行っても、通常演算を最初からやり直す必要がない。また、通常演算結果は通常演算表示部１２ａに表示され、検算結果は検算表示部１２ｂにそれぞれ独立して表示されるので、検算を行う際にも、通常演算の結果を確認しながら実行することができる。さらに、検算処理においては通常演算結果と検算結果との差引検算を同時に行い、かつ、当該差引検算結果を検算表示部１２ｂに表示させるので、瞬時に両者の誤差を確認することができ、操作性を一層向上させることができる。
【符号の説明】
【００４４】
１０  電子式計算機
１１  キー入力部
１２  表示部
１２ａ  通常演算表示部
１２ｂ  検算表示部
１３  数字入力キー群
１４  演算機能キー群
１５  メモリー機能キー群
１６  付加機能キー群
１７  モード設定キー群
１７ａ  通常演算モードキー
１７ｂ  検算モードキー
１９ａ、２０ａ  数字表示エリア
１９ｂ、２０ｂ  演算子・ファンクション表示エリア
３１  制御部
３２  ＲＯＭ
３３  ＲＡＭ
【要約】
【課題】操作性及び利便性に優れ、通常演算と検算を独立して実行することができ、かつ、各々の結果を異なる表示画面に表示させて、両者の差異を容易に把握することが可能な検算機能付き電子式計算機を提供する。
【解決手段】通常演算モードに切り換えるための通常演算選択手段と、検算モードに切り換えるための検算選択手段と、通常演算モード又は検算モードにおける演算式データを入力するための入力手段と、入力手段により入力された演算式データの入力結果に基づき、通常演算又は検算を実行するための演算手段と、演算式データと、演算手段により実行された通常演算結果又は検算結果を記憶するための記憶手段と、記憶手段が通常演算結果を記憶しており、かつ、検算モードによる検算で演算手段が検算を実行した場合に、通常演算結果と検算結果を比較し両者の差を算出する比較手段と、演算式データ及び通常演算結果を表示する通常演算表示手段と、演算式データ、検算結果、及び通常演算結果と検算結果の差を表示する検算表示手段とを備える。
【選択図】  図１【図１】
0005667324.tif 000002
【図２】
0005667324.tif 000003
【図３】
0005667324.tif 000004
【図４】
0005667324.tif 000005